(57)【要約】  【課題】背もたれをネット構造とした椅子において、簡単な構造でランバーサポート機能を付与する。  【手段】背もたれ３は、背フレーム４と背シート５とを備えている。背シート５の上部は、背フレーム４に被さる袋状部５ａになっており、背シート５は下方に引っ張られている。背フレーム４の左右サイドメンバー４ａは背シート５の袋状部５ａよりも下方において露出しており、この露出部４ａ′に、ネット材でループ状に形成したランバーサポート６を巻き掛けている。ランバーサポート６は背フレーム４に巻掛けるだけであるため構造が簡単であり、また、ランバーサポート６はネット材製であるため人への当たりが柔らかい。【選択図】      図１
2006042848.tif 000002
【特許請求の範囲】
【請求項１】
背もたれを背フレームにネット製背シートが張られた構造とし、かつ、前記背シートを部分的に前向き押圧するランバーサポートが備えられた椅子であって、
前記背フレームは、着座者の左右両側に位置して略上下方向に延びる左右一対のサイドメンバーと、前記左右サイドメンバーの上端に連続した略左右長手のアッパーメンバーとを備えている一方、
前記背シートのうち前記ランバーサポートよりも上方の適宜範囲は背フレームに上方から被さる袋状部に形成されており、背シートを上下方向に張った状態に保持することにより、背フレームの左右サイドメンバーに背シートが取付いていない露出部を形成し、前記左右サイドメンバーの露出部に前記ランバーサポートを取付けている、
椅子。
【請求項２】
前記背フレームのサイドメンバーは側面視で前向き凸状に湾曲又は屈曲した形状となり、前記アッパーメンバーは平面視で前向き凹状に湾曲又は屈曲した形状になっている一方、
前記背シートにおける袋状部の背面部には、背シートにおける前面部の下端と略同じ位置まで延びる延長部を形成しており、
更に、前記ランバーサポートはネット材で平面視ループ状に形成されており、このランバーサポートを左右サイドメンバーに高さ調節自在に巻掛けており、このランバーサポートで背シートの前面部を前向き押圧している、
請求項１に記載した椅子。
【請求項３】
座を座フレームに座シートが張られた構造とし、かつ、前記座シートのうち主として着座者の臀部に位置する部分を下方から支持する補助サポートが備えられた椅子であって、
前記座フレームは、着座者の左右両側に位置して略前後方向に延びる左右一対のサイドメンバーと、前記左右サイドメンバーの前端に連続した略左右長手のフロントメンバーとを備えている一方、
前記座シートのうち少なくとも前記補助サポートよりも前方の部分は座フレームに前方から被さる袋状部に形成されており、背シートを前後方向に張った状態に保持することにより、座フレームの左右サイドメンバーに背シートが取付いていない露出部を形成し、前記左右サイドメンバーの露出部に前記補助サポートを取付けている、
椅子。
【発明の詳細な説明】
【技術分野】
【０００１】
本願発明は、背もたれ又は座にネットを使用している椅子に関するものである。
【背景技術】
【０００２】
背もたれと座とのうち何れか一方又は両方をフレームにネット製シートが張られた構造にしている椅子は一般にネット椅子と言われており、通気性やクッション性に優れていることから、近時、普及する傾向にある。ネット材としては織物又は編物が使用されており、一般に、横糸（椅子の正面視で左右方向に延びる糸）には強弾性糸が使用され、縦糸には非弾性糸が使用されている。
【０００３】
そして、シートをフレームに取付ける方法としては、一般に、溶着や接着、押さえ部材による押さえ固定（挟み付け）、或いはこれらを複合させた方法が採用されているが、これらの方法は固定作業に手間が掛かると共に、高い取付け強度と耐久性を確保するには高い技術を要するという問題があった。
【０００４】
そこで本願出願人は、特許文献１において、背シートを下向きに開口した袋状に形成し、これを背フレームに上方から嵌め込む構造の椅子を提案した。この特許文献１の構成によると、背シートの取付け作業を簡単に行えると共に、高度の技術を要することなく高い取付け強度と耐久性を確保できる。
【特許文献１】特願２００３−３４１７６２号
【発明の開示】
【発明が解決しようとする課題】
【０００５】
ところで、長時間にわたって快適な座り心地を得るためには、腰椎に負担が掛からないようにする必要があり、そこで、腰椎や脊椎、或いは骨盤を正しい姿勢に保持するように、着座者の背（又は腰）を部分的に押し出すように作用するランバーサポートを背もたれに設けることが行われている。着座者の背のどの部分を押圧するかには体格や好みによって個人差があり、そこで、ランバーサポートを高さ調節可能に構成したり、ランバーサポートの前向き突出寸法を調節できるようにすることも行われている。
【０００６】
背もたれをネット構造にした椅子においてもランバーサポートを設けることが行われているが、従来のランバーサポート付きネット式背もたれは、背シートの四周を背フレームに溶着等によって固定し、背フレームとは別にランバーサポート取付け用の補助フレームを設けており、このため構造が複雑でコストが嵩むという問題があった。
【０００７】
本願発明は、このような現状を改善することを主たる課題とするものである。
【課題を解決するための手段】
【０００８】
請求項１の発明は、背もたれを背フレームにネット製背シートが張られた構造とし、かつ、前記背シートを部分的に前向き押圧するランバーサポートが備えられた椅子に関するもので、前記背フレームは、着座者の左右両側に位置して略上下方向に延びる左右一対のサイドメンバーと、前記左右サイドメンバーの上端に連続した略左右長手のアッパーメンバーとを備えている。
【０００９】
一方、前記背シートのうち前記ランバーサポートよりも上方の適宜範囲は背フレームに上方から被さる袋状部に形成されており、背シートを上下方向に張った状態に保持することにより、背フレームの左右サイドメンバーに背シートが取付いていない露出部を形成し、前記左右サイドメンバーの露出部に前記ランバーサポートを取付けている。
【００１０】
請求項２の発明は請求項１を具体化したもので、前記背フレームのサイドメンバーは側面視で前向き凸状に湾曲又は屈曲した形状となり、前記アッパーメンバーは平面視で前向き凹状に湾曲又は屈曲した形状になっている一方、前記背シートにおける袋状部の背面部には、背シートにおける前面部の下端と略同じ位置まで延びる延長部を形成している。更に、前記ランバーサポートはネット材で平面視ループ状に形成されており、このランバーサポートを左右サイドメンバーに高さ調節自在に巻掛けており、このランバーサポートで背シートの前面部を前向き押圧している。
【００１１】
請求項３の発明は、座を座フレームに座シートが張られた構造とし、かつ、前記座シートのうち主として着座者の臀部に位置する部分を下方から支持する補助サポートが備えられた椅子に係るもので、前記座フレームは、着座者の左右両側に位置して略前後方向に延びる左右一対のサイドメンバーと、前記左右サイドメンバーの前端に連続した略左右長手のフロントメンバーとを備えている。
【００１２】
一方、前記座シートのうち少なくとも前記補助サポートよりも前方の部分は座フレームに前方から被さる袋状部に形成されており、背シートを前後方向に張った状態に保持することにより、座フレームの左右サイドメンバーに背シートが取付いていない露出部を形成し、前記左右サイドメンバーの露出部に前記補助サポートを取付けている。
【発明の効果】
【００１３】
請求項１の発明によると、背シートを取付けるための背フレームをランバーサポートの取付けに利用するものであるため、背もたれに特別のフレーム材を設ける必要はなく、このためランバーサポート付きのネット式背もたれを備えた椅子でありながら、構造を簡単にすることができる。
【００１４】
また、ランバーサポートを設けている部分において背シートは背フレームに固定されていないため、背シートは前後方向に移動し易い（変形しやすい）状態になっており、このため好適なランバーサポート効果を得ることができる。
【００１５】
背シートがネット製でランバーサポートが合成樹脂製であると、背シートが容易に変形しやすい分だけランバーサポートはランバーサポートのプロフィールのままに変形するため、着座者の背中（或いは腰）への当たりが強すぎることがあるが、請求項２のようにランバーサポートにネットを使用すると、着座者の背が局部的な突き出し作用を受けることはなく、このため快適な座り心地を得ることができる。
【００１６】
ところで、人の背面のうち腰椎の部分は比較的鈍感であり、ランバーサポートで押されてもそれほど違和感はないが、背中の上部は神経が敏感になる傾向があり、このため、背の中部や上部にランバーサポートが当たると違和感を覚える傾向がある。他方、本願請求項２のようにランバーサポートをネット製にすると、着座者の背への当たりが柔らかいため、腰椎より上方の部分（例えば肩甲骨に近い部分）を支持しても違和感はない（すなわち痛くない）。このため、背中の支持態様を人の好みに応じて広げることができる。
【００１７】
ネット方式の従来の座は、座シートの四周を座フレームに固定した構造になっており、このため強度は全体にわたって一様であるのに対して、座シートに作用する着座者の体圧の分布は一様でなく、座骨が当たる部分は最も強くて、大腿部が当たる部分は最も弱い。このような体圧の分布の不均一性に対処するため、例えば、座シートを構成するネットの目の粗さを変えるということも提案されているが、これではネットの製造が難しい問題がある。
【００１８】
これに対して本願請求項３のように構成すると、通常のネットを使用しつつ、体圧が強く作用する部分に補助サポートを配置することにより、体圧の分布の違いに対応しつつ高い固定強度と耐久性とを確保することができる。
【発明を実施するための最良の形態】
【００１９】
次に、本願発明の実施形態を図面に基づいて説明する。
【００２０】
(1).第１実施形態（図１〜図６）
図１〜図６では第１実施形態を示している。図１は椅子の全体斜視図であり、本実施形態は事務用等の回転椅子に適用しており、椅子は、キャスター及びガスシリンダ式脚柱を備えた脚１と、脚柱の上端に固定した支持ベース（図示せず）と、座２と背もたれ３とを備えている。背もたれ３はばね手段に抗して後傾動する。
【００２１】
本実施形態では発明の特徴を背もたれ３に適用している。背もたれ３は、金属製又は樹脂製の背フレーム４と、これに取付けたネット製の背シート５及びランバーサポート６を備えている。以下、図２以下の図面も参照して詳述する。
【００２２】
図２のうち（Ａ）は背フレーム４の斜視図、（Ｂ）は背フレーム４の平面図、図３のうち（Ａ）は背もたれ３の正面図、（Ｂ）は背もたれ３の下部の背面図、図４のうち（Ａ）は図３のIVA-IVA 視断面図、（Ｂ）は（Ａ）のうちＢで指した部分の拡大図、（Ｃ）は（Ａ）のＣ−Ｃ視断面図、（Ｄ）は（Ａ）のうちＤで指した部分の拡大図、図５は図３の V-V視断面図、図６は背シート５の展開図である。
【００２３】
背フレーム４は全体として略四角形に形成されており、上下方向に延びる左右一対のサイドメンバー４ａと、左右サイドメンバー４ａの上端に繋がった左右長手のアッパーメンバー４ｂと、左右サイドメンバー４ａの下端に繋がったロアーメンバー４ｃとを備えている。また、背もたれ３の下端には、支持ベースに取り付く揺動フレーム７が固定されており、ロアーメンバー４ｃは揺動フレーム７の下面に固着されている。なお、揺動フレーム７の一部をロアーメンバーに兼用することも可能である。
【００２４】
サイドメンバー４ａは中空で偏平状の断面形状であり、アッパーメンバー４ｂとロアーメンバー４ｃとは略円形の断面形状になっているが、他の断面形状であってもよいことは言うまでもない。
【００２５】
左右のサイドメンバー４ａは側面視で前向き凸状に湾曲しており、また、アッパーメンバー４ｂとロアーメンバー４ｃとは平面視で前向き凹状に湾曲している。いうまでもないが、これらは着座者の背面プロフィールに背シート５をフィットさせるためである。サイドメンバー４ａは、着座者の腰椎の高さ位置の当たりの部分が最も前端に位置るように設定している。また、背もたれ３の下端は座２の上面よりも下方に位置している。
【００２６】
背シート５は、素材糸を織るか編むかして構成されたネット材から成っており、その上部は背フレーム４にすっぽり被る袋状部５ａになっている。従って、背シート５は、人の体圧が直接に作用する前面部５ｂと、その裏側に位置した背面部５ｃとを有している。そして、背面部５ｃを前面部５ｂの下端まで延長すると共に、背面部５ｃを前面部５ｂと正面視で殆ど同じ形状に形成し、前面部５ｂと背面部５ｃとの下端を紐材８（線材や糸でも良い）でロアーメンバー４ｃに縛り固定している。
【００２７】
このため、背シート５は上下方向にピンと張った状態に保持されており、かつ、サイドメンバー４ａのうち背シート５の袋状部５ａよりも下方の部分は、背シート５が取り付いていない露出部４ａ′となっている（見方を変えて述べると、袋状の背シートが上部を除いてサイド部分が抉られた状態になっている）。
【００２８】
そして、左右サイドメンバー４ａの露出部４ａ′に、ネット材を素材として平面視でループ状（エンドレス状）に形成した帯状のランバーサポート６を巻き掛けている。言うまでもないが、ランバーサポート６は左右サイドメンバー４ａの間でピンと張った状態に保持されている。
【００２９】
アッパーメンバー４ｂとロアーメンバー４ｃとか平面視で前向き凹状に湾曲しており、かつ、サイドメンバー４ａが側面視で前向き凸状に湾曲しているため、仮にランバーサポート６が存在しない場合は、背シート５の前面部５ｂは、背もたれ３の縦長中心線の箇所で図４に一点鎖線９で示すような側面プロフィールを呈する。
【００３０】
しかし、ランバーサポート６の存在により、当該ランバーサポート６の箇所において背シート５の前面部５ｂは前向きに押し出され（或いは引っ張られ）、このため、着座者の背面の特定の高さ部分に強く当たるランバーサポート機能が発揮される。ランバーサポート６が存在する部分で背シート５の前面部５ｂはサイドメンバー４ａに固定されていないため、前面部５ｂはランバーサポート６の押し出し作用によって大きく前進することになり、このため、ランバーサポート機能を強く効かせることができる利点がある。
【００３１】
ランバーサポート６は、その左右側部を握って上下動させることにより、サイドメンバー４ａの露出部の範囲内で自在に高さを変えることができる。ランバーサポートの操作部が背もたれの裏側に位置していると、使用者がランバーサポートの存在に気が付かない場合があるが、本願発明ではランバーサポート６の左右側部は背シート５から露出しているため、人にランバーサポート６の存在を確実に視認させて、存在意義を全うさせることができる。
【００３２】
ランバーサポート６を上下動させ得る範囲は自由に設定することができるが、本願発明では、骨盤から着座者の腰椎よりも上方の高さ位置まで大きい範囲で上下動できるように設定している。
【００３３】
このため、骨盤を支えたり肩甲骨よりの部分を支持したりというように、従来のランバーサポートでは実現できなかった多様な用法が可能になり、このため使い勝手が良い。この場合、ランバーサポート６はネット製であるため、身体の狭い部分を突き出すようなことはなくて当たりが柔らかいため、上部に位置させても使用者に違和感を与えるようなことはない。
【００３４】
背シート５及びランバーサポート６は、一般に、強弾性糸と非弾性糸とを素材にして織ったり編んだりして製造されており、一般に、上下方向に延びる縦糸を非弾性糸とし、左右方向に延びる横糸を強弾性糸にしている。ランバーサポート６は、縦糸及び横糸とも非弾性糸を使用することも可能である。強弾性糸としては例えばポリエステルエラストマー繊維を使用し、非弾性糸としてはポリエステル糸を使用することができる（勿論、他の素材でもよい）。
【００３５】
背シート５を製造するに具体的な方法としては、図６に示すように、素材ネット（現反）を展開状態に裁断し、それから部分的に溶着又は縫着して袋状部５ａを形成したらよい。背もたれ３を組み立てるに当たっては、先にランバーサポート６を背フレーム４に嵌め入れ、次いで、背シート５を背フレーム４に装着して紐８等で縛り固定したら良い。背シート５の下端を背フレーム４に固定する保持手段は紐類による縛り固定に限定されるものではなく、例えば、ねじ止め式の押さえ板で固定するなど、多くの方法を採用できる。
【００３６】
ランバーサポート６はその左右側部のみを筒状に形成して背フレーム４のサイドメンバーに嵌め入れることも可能であるが、この場合は、ランバーサポート６を取り付ける前の状態で背フレームのサイドメンバー４ａの下端又は上端が自由端になっている必要がある。これに対してランバーサポート６をループ状に形成すると、ループ状になっている背フレーム４にはめ込み装着できるため、背もたれ３の組み立てやランバーサポート６の交換が頗る簡単である。
【００３７】
(2).第２実施形態（図７）
図７に示すのは第１実施形態の変形例である第２実施形態である。この実施形態では、袋状部５ａの背面部５ｃを下方に延長しておらず、従って、背面部５ｃは袋状部のみ存在している。
【００３８】
(3).第３実施形態（図８）
ところで、背もたれや座にネットを使用した場合、身体がフレームに当たる問題がある。図８では、この点に対処した第３実施形態を示している。（Ａ）は一部破断平面図、（Ｂ）は（Ａ）のＢ−Ｂ視断面図である。
【００３９】
この実施形態では、第１実施形態と同様の形態の背フレーム４において、背シート５の袋状部５ａをその上端に平坦部５ａ′が存在するように立体的に構成している。平坦部５ａ′の前端は左右サイドメンバー４ａの背フレーム４の左右コーナー部に引っ張られてピンと張った状態に保持され、また、平坦部５ａ′の後端はアッパーメンバー４ｂで動きが規制されている。そして、前面部５ｂの上端とアッパーメンバー４ｂとの間には間隔が空いているため、人が背もたれ３にもたれかかってもアッパーメンバー４ｂで背中を圧迫されることはない。
【００４０】
(4).第４実施形態（図９）
図９に示すのは、ランバーサポート６に例えばウレタン樹脂等のクッション材１０を付加した第４実施形態である。（Ａ）では、ループ状のランバーサポート６と背シート５の前面部５ｂとの間にクッション材１０を位置させており、（Ｂ）では、ランバーサポート６の内部にクッション材１０を配置している。
【００４１】
(5).第５〜第６実施形態（図10）
図１０の（Ａ）（Ｂ）に示すのは、ランバーサポート６と背シート５との配置関係の別例である第５実施形態である。この実施形態は、背シート５の前面部５ｂと背面部５ｃとの両方をランバーサポート６で後方から支持したものであり、このうち（Ａ）ではランバーサポート６で背面部５ｃを挟んでおり、（Ｂ）では前面部５ｂと背面部５ｃとを重ねてランバーサポート６で支持している。
【００４２】
図１０の（Ｃ）（Ｄ）に示す例は、背もたれ３と座２との両方をネット方式として、それぞれを本願発明に特徴を持たせている。（Ａ）は全体の斜視図、（Ｂ）は座フレーム１２の一部を示す（Ａ）の B-B視図である。この実施形態は、非回転椅子（パイプ椅子）に適用している。
【００４３】
背シート５は基本的には第１実施形態と同様であるが、第１実施形態との相違点として、背シート５の下部も袋状部５ａと成している点が挙げられる。
【００４４】
座フレーム１２は、左右サイドメンバー１２ａと、左右サイドメンバー１２ａの先端を繋ぐフロントメンバー１３ｂと、左右サイドメンバー１２ａの後端部を繋ぐリアメンバー１２ｃとを備えており、従って、座フレーム１２は全体として平面視略四角形に形成されている。なお、背フレーム４のロアーメンバー４ｃと座フレーム１２のリアメンバー１２ｃとは共通化している。
【００４５】
座シート１３の前部と後部とに袋状部１３ａが形成されており、かつ、座シート１３の上面部と下面部との後端は座フレーム１２のリアメンバー１２ｃに紐等の保持手段で固定されている。そして、前後袋状部１３ａの間においてサイドメンバー１２ａに形成された露出部１２ａ′に、補助サポート１４を配置している。補助サポート１４はループ状に形成されており、左右サイドメンバー４ａの露出部１２ａ′に巻き掛けられている。
【００４６】
座シート１３のうち体圧が最も強く作用する部分に補助サポート１４が配置されているため、座シート１４が過度に沈み込むことを防止して、適度のクッション性を確保することができる。座シート１３の前部のみを袋状部５ａと成すことも可能であるが、座シート１３は背シート５に比べて大きな荷重が掛かるため、後部にも袋状部５ａと成すのが好ましいと言える。
【００４７】
なお、座フレーム１２は脚１６で支持されているが、脚１６は座フレーム１２に座シート１３を嵌め入れてから後付けで固定するようになっている。（Ｃ）に一点鎖線１５で示すように、背シート５のコーナー部（及び座シートのコーナー部）を部分的に切り欠くことも可能である。
【００４８】
(6).その他
本願発明は上記の実施形態の他にも様々に具体化できる。例えば、適用対象としては移動自在に椅子に限らず、例えば講堂用椅子のような固定式椅子やベンチ類にも適用できる。
【００４９】
また、背もたれにヘッドレストを設けることも可能である。更に、ランバーサポートは必ずしもネット材製にする必要はなく、合成樹脂製や金属板製とすることも可能であり、椅子のタイプによって材質を選択したら良い。ランバーサポート６を可撓性のある素材製とする場合、通気性のあるネットには限らず、目の詰まった織物又は編物若しくは不織布、或いは平ゴム等も採用できる。
【００５０】
ランバーサポートをネット材製とする場合、背シートとは材質や強度を異ならせることも可能である。また、座に適用する場合、補助サポートと座シートととでネットの素材を変えても良い。背フレーム又は座フレームのサイドメンバーに複数の露出部を形成して（この場合はシートの袋状部も複数になる）、１つの背もたれ又は座に複数のランバーサポート又は補助サポートを設けることも可能である。
【図面の簡単な説明】
【００５１】
【図１】第１実施形態の全体斜視図である。
【図２】(A)は背フレームの斜視図、 (B)は背フレームの平面図である。
【図３】(A)は背もたれの正面図、 (B)は背もたれの下部の背面図である。
【図４】(A)は図３のIVA-IVA 視断面図、(B)(D)は (A)の部分拡大図、 (C)は
【図５】図３の V-V視断面図である。
【図６】背シートの展開図である。
【図７】第２実施形態を示す図である。
【図８】第３実施形態を示す図である。
【図９】第４実施形態を示す図である。
【図１０】第５実施形態及び第６実施形態を示す図である。
【符号の説明】
【００５２】
２  座
３  背もたれ
４  背フレーム
４ａ  背フレームのサイドメンバー
４ａ′  露出部
５  背シート
５ａ  背シートの前面部
５ｂ  背シートの前面部
６  ランバーサポート
１２  座フレーム
１２ａ  座フレームのサイドメンバー
１２ａ′  露出部
１３  座シート
１３ａ  座シートの袋状部
１４  補助サポート
【図１】
2006042848.tif 000003
【図２】
2006042848.tif 000004
【図３】
2006042848.tif 000005
【図４】
2006042848.tif 000006
【図５】
2006042848.tif 000007
【図６】
2006042848.tif 000008
【図７】
2006042848.tif 000009
【図８】
2006042848.tif 000010
【図９】
2006042848.tif 000011
【図１０】
2006042848.tif 000012